(57)【特許請求の範囲】
【請求項１】
回路体本体の開口部の内部に設けられる板バネ状のバネ接点部と、該バネ接点部に接触する凸状端子との接続構造において、
前記バネ接点部と前記凸状端子との接続方向に直交する方向の遊びを前記回路体本体に対し持たせて前記遊びの範囲内で前記回路体本体を移動自在に保持する回路体ベースを備え、
前記回路体本体を前記回路体ベースに保持した状態で該回路体ベースと前記凸状端子側の固定部との固定を行うと、この固定の最中に前記バネ接点部と前記凸状端子との接触位置に応じて前記回路体本体が移動する
ことを特徴とするバネ接点部と凸状端子との接続構造。
【請求項２】
請求項１に記載のバネ接点部と凸状端子との接続構造において、
前記回路体本体にコネクタを一体化するとともに、該コネクタと前記バネ接点部との間をバスバーで連結する
ことを特徴とするバネ接点部と凸状端子との接続構造。
【請求項３】
請求項１又は請求項２に記載のバネ接点部と凸状端子との接続構造において、
前記回路体本体を前記回路体ベースに対して着脱自在に形成するとともに、前記回路体ベースも前記固定部に対して着脱自在に形成する
ことを特徴とするバネ接点部と凸状端子との接続構造。
【発明の詳細な説明】
【技術分野】
【０００１】
本発明は、バネ接点部と凸状端子との接続構造に関する。
【背景技術】
【０００２】
バネ接点部と凸状端子との接続構造に関しては、例えば下記特許文献１に開示された技術が知られている。図２において、回路体本体１は、図の左右方向に沿って形成される平板状の基板２と、この基板２の上に配索されるバスバー状の回路３と、基板２との間に回路３を挟み込む支持プレート４とを備えて構成されている。
【０００３】
回路体本体１には、電磁ソレノイドのピン端子５（凸状端子）との接続のための開口部６が形成されている。この開口部６には、回路３に連成される一対のバネ接点部７が露出している。各バネ接点部７の先端には、９０゜折り曲げられてピン端子５との接続方向（図の上下方向）にのびる端部８が形成されている。端部８同士の間隔は、ピン端子５の直径に合わせて設定されている。
【０００４】
上記構成において、電磁ソレノイドとの電気的な接続のためにピン端子５を開口部６に差し込むと、このピン端子５とバネ接点部７の端部８とが接触しあい接続状態が形成される。端部８同士の間にピン端子５が挿入される際には、ピン端子５により各バネ接点部７が押されて若干の撓みが生じ、これによって端部８同士の間隔が広がってピン端子５の挿入が行われるようになる。
【０００５】
尚、ピン端子５にワイヤハーネスを直接半田付けすれば回路体本体１が不要になる。しかしながら、ピン端子５の数が多くなると半田付けの数も増えて作業性に影響を来たすことから、また、ワイヤハーネスの取り回しにも影響を来すことから、ピン端子５との接続のためには、上記のような回路体本体１を用いることが有効であるといえる。
【特許文献１】特公平５−３００３７号公報
【発明の開示】
【発明が解決しようとする課題】
【０００６】
上記従来技術にあっては、回路体本体１を用いることからピン端子５との接続が容易であるものの、接続時にピン端子５との位置がずれるとピン端子５とバネ接点部７とが突き当たる、所謂どつきが生じてしまうという問題点を有している。どつきが生じると、ピン端子５やバネ接点部７が変形したり破損したりすることから（バネ接点部７の弾力性でカバーできない場合がある）、従来技術は接点信頼性が低いという問題点を有している。
【０００７】
本発明は、上記した事情に鑑みてなされたもので、高い接点信頼性を確保することが可能なバネ接点部と凸状端子との接続構造を提供することを課題とする。
【課題を解決するための手段】
【０００８】
上記課題を解決するためになされた請求項１記載の本発明のバネ接点部と凸状端子との接続構造は、回路体本体の開口部の内部に設けられる板バネ状のバネ接点部と、該バネ接点部に接触する凸状端子との接続構造において、前記バネ接点部と前記凸状端子との接続方向に直交する方向の遊びを前記回路体本体に対し持たせて前記遊びの範囲内で前記回路体本体を移動自在に保持する回路体ベースを備え、前記回路体本体を前記回路体ベースに保持した状態で該回路体ベースと前記凸状端子側の固定部との固定を行うと、この固定の最中に前記バネ接点部と前記凸状端子との接触位置に応じて前記回路体本体が移動することを特徴としている。
【０００９】
このような特徴を有する本発明によれば、接続時にバネ接点部と凸状端子との接触位置が正規の接続位置からずれる場合、凸状端子により押されて撓みが生じるバネ接点部に対し作用する力は、回路体本体を移動させる方向に働く。回路体ベースに保持された回路体本体は、遊びの範囲内で移動自在であることから、バネ接点部に作用する力によって回路体本体は移動する。回路体本体の移動に伴い位置ずれが矯正されると、この状態でバネ接点部と凸状端子との良好な接続が行われる。
【００１０】
本発明において、凸状端子は、ピン状に形成されるピン端子や、タブ状に形成される端子が適用されるものとする。
【００１１】
請求項２記載の本発明のバネ接点を有するバネ接点部と凸状端子との接続構造は、請求項１に記載のバネ接点部と凸状端子との接続構造において、前記回路体本体にコネクタを一体化するとともに、該コネクタと前記バネ接点部との間をバスバーで連結することを特徴としている。
【００１２】
このような特徴を有する本発明によれば、回路体本体との外部接続にワイヤハーネスを用いることが可能になる。本発明によれば、バスバーでの連結によりワイヤハーネスの取り回しがし易い位置にコネクタを配置することが可能になる。
【００１３】
請求項３記載の本発明のバネ接点を有するバネ接点部と凸状端子との接続構造は、請求項１又は請求項２に記載のバネ接点部と凸状端子との接続構造において、前記回路体本体を前記回路体ベースに対して着脱自在に形成するとともに、前記回路体ベースも前記固定部に対して着脱自在に形成することを特徴としている。
【００１４】
このような特徴を有する本発明によれば、接続後の取り外しが可能な構造になる。例えばメンテナンス対応に有効な構造になる。
【発明の効果】
【００１５】
請求項１に記載された本発明によれば、バネ接点部と凸状端子との接続が良好になることから、従来よりも高い接点信頼性を確保することができるという効果を奏する。また、本発明によれば、凸状端子との接続にバネ接点部を有する回路体本体を用いることから、特に多数の接続を行う構造を簡素化することができるという効果を奏する。
【００１６】
請求項２に記載された本発明によれば、外部接続をすることやワイヤハーネスの取り回しを良好にすることができるという効果を奏する。
【００１７】
請求項３に記載された本発明によれば、例えばメンテナンス対応をし易くすることができるという効果を奏する。
【発明を実施するための最良の形態】
【００１８】
以下、図面を参照しながら説明する。図１は本発明のバネ接点部と凸状端子との接続構造の一実施の形態を示す図であり、（ａ）はバネ接点部とピン端子との接続構造の断面図、（ｂ）は回路体本体及び回路体ベースの斜視図、（ｃ）はバネ接点部の平面図である。
【００１９】
図１において、本発明のバネ接点部と凸状端子との接続構造は、ピン端子１１（凸状端子）を有する例えば電磁ソレノイド１２を組み付けたベース部材１３に対し、バネ接点部１４を複数有する回路体本体１５を保持した状態の回路体ベース１６を固定すると、この固定の最中に回路体本体１５が必要に応じて移動して、対応するバネ接点部１４とピン端子１１との接続が良好に行えるような構造になっている。以下、本発明に係る具体的な構造について説明する。
【００２０】
ベース部材１３は、電磁ソレノイド１２に対する例えばバルブボディとして形成されている。このようなベース部材１３には、回路体ベース１６を固定するための固定部１７が所定の間隔及び配置で複数形成されている。固定部１７同士の間には、回路体本体１５の逃がし部分として機能する凹部１８が形成されている。この凹部１８の底からは、電磁ソレノイド１２のピン状に形成されたピン端子１１が突出している。ピン端子１１は、図１（ａ）の上下方向に所定の長さで真っ直ぐにのびるように形成されている。固定部１７がある面は、図１（ａ）の左右方向の面に略一致しているものとする。尚、図１（ａ）の紙面垂直方向を前後方向とするものとする。
【００２１】
回路体本体１５は、絶縁性を有する絶縁部１９と、この絶縁部１９にインサート成形される複数のバスバー２０と、絶縁部１９における上面２１の所望の位置に一体に設けられるコネクタ２２とを備えて構成されている。バネ接点部１４は、各バスバー２０の一方の端部に一体に形成されている。
【００２２】
絶縁部１９の左右両側部分には、スライド装着用凹部２３が形成されている。スライド装着用凹部２３は、回路体本体１５の前端から後端にかけて真っ直ぐに形成されている。スライド装着用凹部２３は、凹状のガイドレールとしての機能を有している。
【００２３】
絶縁部１９には、上下方向に貫通する開口部２４が複数形成されている。開口部２４の内部には、バネ接点部１４が設けられている。尚、本形態の開口部２４は、矩形状に開口しているがこの形状に限らないものとする。開口部２４の開口形状は、バネ接点部１４の形態に応じて適宜形成されるものとする。
【００２４】
コネクタ２２は、コネクタハウジング２５と、複数のタブ状の端子２６とを備えて構成されている。端子２６は、各バスバー２０の他方の端部に一体に形成されている。コネクタ２２は、外部接続用の部分として設けられている。
【００２５】
本形態におけるバネ接点部１４は、略台形で片持ちの板バネ状となる四つのバネ片２７を有して構成されている。四つのバネ片２７の先端部分は、ピン端子１１の直径よりも小さな円形の空間ができるような形状に形成されている（一例であるものとする）。
【００２６】
回路体ベース１６は、コ字状の枠部２８を有している。この枠部２８の外側の左右両側部分には、固定部２９が連成されている。枠部２８は、前側が開口しており、内部に回路体本体１５を差し込むことができるような形状に形成されている。枠部２８の内側の左右両側部分は、スライド装着用凸部３０として形成されている。スライド装着用凸部３０は、凸状のガイドレールとして機能するように形成されている。回路体ベース１６に対する回路体本体１５の差し込みは、スライド装着用凸部３０とスライド装着用凹部２３とを用いるスライド装着によって行われるようになっている。
【００２７】
回路体ベース１６は、スライド装着用凸部３０の部分で回路体本体１５に対し遊びを持たせてこの遊びの範囲内で回路体本体１５を移動自在に保持することができるように形成されている。上記遊びは、上下方向に対し直交方向（左右方向、前後方向、回転方向などを含む）に回路体本体１５のガタ付きを所望の分だけ許容することができるように設定されている。回路体ベース１６には、回路体本体１５が抜け出さないようにするための係止突起３１が形成されている。係止突起３１は、回路体本体１５の着脱に支障を来さない程度の高さに突出形成されている。
【００２８】
固定部２９は、ベース部材１３の固定部１７の位置に合わせて配置形成されている。本形態における固定部２９及び１７は、ボルト３２の締め付けによる固定をすることができるように形成されている。
【００２９】
上記構成において、回路体ベース１６に回路体本体１５を保持し、この状態で回路体ベース１６をボルト３２を用いてベース部材１３に固定すると、ピン端子１１にバネ接点部１４が差し込まれるような状態になってこれらが接触し合い、接続が完了する。
【００３０】
本発明の接続構造は、固定の最中に仮にバネ接点部１４とピン端子１１との接触位置が正規の接続位置からずれていた場合であっても、バネ接点部１４とピン端子１１との接触位置に応じて回路体本体１５が移動して位置ずれを矯正することができる（ピン端子１１により押されて撓みが生じたバネ接点部１４に作用する力が回路体本体１５を移動させる方向に働くため）。位置ずれを矯正することができれば、この後のバネ接点部１４とピン端子１１との接続を良好に行うことができる。
【００３１】
以上、本発明によれば、バネ接点部１４とピン端子１１との接続が良好になることから、従来よりも高い接点信頼性を確保することができるという効果を奏する。また、本発明によれば、ピン端子１１との接続にバネ接点部１４を有する回路体本体１５を用いることから、特に多数の接続を行う構造を簡素化することができるという効果も奏する。
【００３２】
さらに、本発明によれば、コネクタ２２によって外部接続をすることやワイヤハーネスの取り回しを良好にすることができるという効果も奏する。さらにまた、本発明によれば、着脱自在な構造によって例えばメンテナンス対応をし易くすることができるという効果も奏する。
【００３３】
本発明は本発明の主旨を変えない範囲で種々変更実施可能なことは勿論である。
【図面の簡単な説明】
【００３４】
【図１】本発明のバネ接点部と凸状端子との接続構造の一実施の形態を示す図であり、（ａ）はバネ接点部とピン端子との接続構造の断面図、（ｂ）は回路体本体及び回路体ベースの斜視図、（ｃ）はバネ接点部の平面図である。
【図２】従来例のバネ接点部と凸状端子との接続構造の断面図である。
【符号の説明】
【００３５】
１１  ピン端子（凸状端子）
１２  電磁ソレノイド
１３  ベース部材
１４  バネ接点部
１５  回路体本体
１６  回路体ベース
１７  固定部
１８  凹部
１９  絶縁部
２０  バスバー
２１  上面
２２  コネクタ
２３  スライド装着用凹部
２４  開口部
２５  コネクタハウジング
２６  端子
２７  バネ片
２８  枠部
２９  固定部
３０  スライド装着用凸部
３１  係止突起
３２  ボルト
【図１】
0004986878.tif 000002
【図２】
0004986878.tif 000003